(57)【特許請求の範囲】
【請求項１】
所定の記録単位で情報信号が記録され、かつ前記記録単位の接続部に所定のリンク領域を有するディスクから前記情報信号を再生する装置において、前記ディスク上の再生位置が前記リンク領域であることを示すタイミング信号を生成するタイミング信号生成装置であって、前記ディスクの再生信号から同期信号とアドレスの情報を復調する情報復調手段と、前記再生信号の平均周期値を検出する平均周期検出手段と、前記同期信号と前記平均周期値に基づいてリンク領域の候補としての内部リンク領域を求め前記アドレスが特定アドレスとなったときに前記内部リンク領域をリンク領域と特定して前記タイミング信号を出力するタイミング信号出力手段とを備えていることを特徴とするタイミング信号生成装置。
【請求項２】
前記情報復調手段は、内部信号を基にステータス信号を生成して出力し、前記タイミング信号出力手段は、前記ステータス信号に基づいて前記タイミング信号の出力を禁止することを特徴とする請求項１に記載のタイミング信号生成装置。
【請求項３】
前記情報復調手段は、同期信号検出用の検出窓の状態を前記ステータス信号として出力することを特徴とする請求項２に記載のタイミング信号生成装置。
【請求項４】
前記情報復調手段は、誤り検出コードの演算結果を前記ステータス信号として出力することを特徴とする請求項２または請求項３に記載のタイミング信号生成装置。
【請求項５】
前記情報復調手段は、誤り検出コードの演算結果を出力し、前記タイミング信号出力手段は、内部アドレスレジスタを有しており、前記内部アドレスレジスタは前記誤り検出コードの演算結果に従い、前記情報復調手段が出力するアドレスを補正することを特徴とする請求項１から請求項４までのいずれかに記載のタイミング信号生成装置。
【発明の詳細な説明】
【０００１】
【発明の属する技術分野】
本発明は、記録可能な光ディスク等に記録されている情報信号の接続部であるリンク領域を検出して、再生位置がリンク領域であることを示すタイミング信号を生成するためのタイミング信号生成装置に関するものである。
【０００２】
【従来の技術】
最近、追記型光ディスクであるＣＤ−Ｒ（Ｃｏｍｐａｃｔ  Ｄｉｓｃ−Ｒｅｃｏｒｄａｂｌｅ）、書き換え型光ディスクであるＣＤ−ＲＷ（Ｃｏｍｐａｃｔ  Ｄｉｓｃ−Ｒｅｗｒｉｔａｂｌｅ）および光磁気ディスクであるＭＤ（ＭｉｎｉＤｉｓｃ）等の記録可能なディスクメディアは、音楽データを編集して録音し、携帯型プレーヤを用いて屋外で音楽を楽しむ用途の他に、ストレージ用途に使用するといった傾向も増えつつある。
【０００３】
これは光ディスクの製造コストが非常に安く、しかも音楽や映像を記録するには十分な記憶容量があるためであり、今後も光ディスクを用いた音響映像機器は増加するものと考えられる。
【０００４】
このような光ディスクの記録領域に対して新たなデータを記録しようとした場合、既に記録されているデータの上からデータを書き込んでしまう結果としてデータを不測に削除してしまうといったことがないようにするために、また、光ディスクを再生した場合に、連続するデータ間に記録していない領域が比較的長く存在し、その結果、トラッキング誤差信号が生成できずにトラッキングサーボが外れて再生動作が不可能となってしまうといった不具合を避けるために、規格書によってリンキングルール（Ｌｉｎｋｉｎｇ  Ｒｕｌｅ）が規定されている。
【０００５】
ＭＤのリンキングルールでは、記録の最小単位である各クラスタのＦＤｈセクタにおいて、検出されたＡＤＩＰ信号の同期パターンから４９±１０ＥＦＭフレームの規定時間内にＥＦＭ信号の記録を開始、終了しなければならないと規定されている。この規定時間の領域を「リンク領域」と呼ぶ。各クラスタは複数のセクタからなり、個々のセクタにはそれぞれＡＤＩＰ信号の同期パターンから４９±１０ＥＦＭフレームの規定時間がリンク領域の候補としての内部リンク領域となる。このようなリンク領域の候補である複数の内部リンク領域のうち、前記のＦＤｈセクタ相当の特定アドレスに対応しているのがリンク領域である。そのようなリンク領域を検出したときにタイミング信号を出力するのである。
【０００６】
なお、ＦＤｈの“ｈ”は１６進数（ｈｅｘａｄｅｃｉｍａｌ  ｎｕｍｂｅｒ）表現であることを示す。ＡＤＩＰは、“Ａｄｄｒｅｓｓ  Ｉｎ  Ｐｒｅｇｒｏｏｖｅ”であり、ＥＦＭは、“Ｅｉｇｈｔｅｅｎ  ｔｏ  Ｆｏｕｒｔｅｅｎ  Ｍｏｄｕｌａｔｉｏｎ”である。
【０００７】
より具体的には、リンク領域はＦＤｈセクタの同期パターン検出後の４０ＥＦＭフレーム目から５９ＥＦＭフレーム目までの２０ＥＦＭフレーム領域であり、最長２０ＥＦＭフレームに及ぶデータの上書きや未記録領域が発生することが許容されている。なお、後述するように、光ディスク上のＦＤｈセクタは信号処理上は１セクタ分ずれたＦＣｈセクタ相当となる。
【０００８】
通常、光ディスクからデータを再生する場合、光ディスクから再生したＥＦＭ信号をコンパレータによって２値化信号に変換し、２値化したＥＦＭ信号をＰＬＬ（Ｐｈａｓｅ  Ｌｏｃｋｅｄ  Ｌｏｏｐ）に入力して抽出クロックを生成する。
【０００９】
そして、抽出クロックの立ち上がりエッジのタイミングで２値化したＥＦＭ信号を打ち抜き、そのデータ列をＥＦＭ復調して音楽等の情報に復元する。
【００１０】
上記のリンキングルールに従って記録された光ディスクを再生する場合、リンク領域では記録信号が全く記録されていないことがあり、このような状況では光ディスクから再生された信号がどのように振舞うかは分からない。最悪の場合、再生したＥＦＭ信号が高周波帯域で発振してコンパレータの出力信号がチャタリングを発生し、その結果、ＰＬＬの位相ロックが外れてしまうことが考えられる。
【００１１】
しかも、ＰＬＬの位相ロックが外れてしまうと、再生位置が未記録のリンク領域を通過して再び記録信号の存在する領域に移動し、光ディスクから正常な再生信号が入力された場合でも、ＰＬＬが位相をロックするまでの引き込み等の時間が余計にかかるので、データを安定に復調するためには相当な時間を要することになる。
【００１２】
そこで、従来は再生位置がリンク領域であることを示すタイミング信号を生成し、そのタイミング信号を用いて再生位置がリンク領域にあると判断すれば、再生信号を２値化するコンパレータの動作を一時停止して、出力信号をホールドすることによりチャタリングの発生を防止するようにし、２値化した信号のクロックを抽出するＰＬＬの位相ロック外れを保護していた。
【００１３】
また、ＰＬＬもタイミング信号を用いて再生位置がリンク領域にあると判断すれば、その動作を一時ホールドし、ホールド直前の出力周期を保った信号を出力し続ける処理を行なうようになっている。すなわち、ＰＬＬの位相外れに対して２重の保護処理を実施していた。
【００１４】
次に、従来技術によるＭＤプレーヤのタイミング信号生成装置について図１０、図１１、図１２を用いて説明する。
【００１５】
図１０はタイミング信号生成装置のブロック図を示しており、ＡＤＩＰ復調回路１００１、ＰＬＬ１００２およびリンク信号出力タイミング生成回路１００３と出力判断回路１００４とからなるリンク信号出力回路１００５から構成されている。
【００１６】
図１１はタイミング信号生成装置の動作を説明するための信号波形図であり、ＡＤＩＰ信号をＦＭ復調して２値化した信号であるバイフェーズ信号ＢＰＤＴ（ａ）、そしてＢＰＤＴ（ａ）からＰＬＬを用いて抽出したクロックであるＢＰＣＫ（ｂ）、またＡＤＩＰ信号の同期パターンの位置を示すＡＤＩＰ同期信号ＡＤＳＹ（ｃ）、さらにＰＬＬ１００２を用いてＥＦＭ信号から抽出したクロックであるＰＣＫ（ｒ）、および各セクタの同期信号後の３９ＥＦＭフレーム目から５９ＥＦＭフレーム目の領域を示す内部ＬＩＮＫ（ｈ’）を示したものである。
【００１７】
図１２は出力判断回路１００４の動作を説明する信号波形図であり、ディスク上に記録されているアドレスデータ（ｉ）、ＡＤＩＰ信号の同期信号ＡＤＳＹ（ｃ）、ディスクからの再生信号を復調して得られるアドレスデータ（ｊ）、リンク信号出力タイミング生成回路１００３が出力する内部ＬＩＮＫ（ｈ’）、および出力判断回路１００４が出力するタイミング信号ＬＩＮＫ（ｈ）の信号波形である。
【００１８】
ＡＤＩＰ復調回路１００１はＭＤから再生したＡＤＩＰ信号をＦＭ復調して２値化したＢＰＤＴ（ａ）を生成し、内部に備えているＰＬＬを用いてＢＰＤＴ（ａ）からクロックＢＰＣＫ（ｂ）を抽出する。
【００１９】
抽出されたクロックＢＰＣＫ（ｂ）の周波数は約６．３ｋＨｚであり、ＢＰＣＫ（ｂ）の立ち上がりのタイミングでＢＰＤＴ（ａ）を打ち抜いてデータ列を取り出す。
【００２０】
ＡＤＩＰ信号の同期パターンはＦＭ復調後のデータ列が“１１１０１０００”（図示のもの）または“０００１０１１１”と規定されており、データ列が同期パターンと一致した場合、一致してから次のＢＰＣＫ（ｂ）の立ち上がりエッジまでの期間は同期信号ＡＤＳＹ（ｃ）を論理Ｈにして出力する。それ以外の期間について同期信号ＡＤＳＹ（ｃ）は論理Ｌを出力する。
【００２１】
さらに、ＡＤＩＰ復調回路１００１は同期パターンに続くデータ列をバイフェーズ復調することによりアドレスデータと誤り検出符号ＣＲＣ（Ｃｙｃｌｉｃ  Ｒｅｄｕｎｄａｎｃｙ  Ｃｈｅｃｋ）を得て、復調したアドレスデータに誤りがないかをＣＲＣを用いて演算する。
【００２２】
ここで得られるアドレスデータはクラスタ１６ｂｉｔ、セクタ８ｂｉｔの合計２４ｂｉｔのデータとＣＲＣの８ｂｉｔデータである。
【００２３】
ＰＬＬ１００２は２値化されたＥＦＭ信号からクロックＰＣＫ（ｒ）を抽出してリンク信号タイミング生成回路１００３に出力する。ここで抽出されたクロックＰＣＫ（ｒ）の周波数は約４．３２１８ＭＨｚである。
【００２４】
１ＥＦＭフレームは５８８個のクロックＰＣＫ（ｒ）単位で構成されており、各ＥＦＭフレームの先頭にあるフレーム同期信号は４．３２１８ＭＨｚ／５８８＝７．３５ｋＨｚの周期で繰り返される。
【００２５】
リンク信号出力タイミング生成回路１００３では、ＡＤＩＰ復調回路１００１から入力される同期信号のＡＤＳＹ（ｃ）とＰＬＬ１００２から入力されるクロックＰＣＫ（ｒ）より、リンク領域の候補としての内部リンク領域に対応する内部ＬＩＮＫ（ｈ’）を生成する。
【００２６】
次に、図１１を用いて、内部ＬＩＮＫ（ｈ’）を生成する過程について説明する。
【００２７】
リンク信号出力タイミング生成回路１００３は内部にカウンタを有しており、ＡＤＩＰ信号の同期信号が検出された場合、つまり同期信号ＡＤＳＹ（ｃ）が論理Ｈとなった場合にカウンタをゼロにリセットする。その後、クロックＰＣＫ（ｒ）の立ち上がりエッジ毎にカウンタをインクリメントしていく。
【００２８】
したがって、カウンタの値が“５８８×３９”に一致したとき、ディスクの再生位置が同期信号検出から４０ＥＦＭフレーム目に突入したと判断でき、またカウンタの値が“５８８×５９”に一致したとき、ディスクの再生位置が同期信号検出から６０ＥＦＭフレーム目に突入した、つまり５９ＥＦＭフレーム目が終了したと判断できる。
【００２９】
リンク信号出力タイミング生成回路１００３が出力するリンク領域の候補としての内部リンク領域に対応する内部ＬＩＮＫ（ｈ’）は、上記のカウンタの値に従って各セクタの同期パターン検出後の４０ＥＦＭフレーム目から５９ＥＦＭフレーム目までの領域で論理Ｈとし、それ以外の領域では論理Ｌとする。
【００３０】
リンキングルールによれば、リンク領域は、各クラスタにおいて複数あるセクタのうちＦＤｈセクタにのみ規定されているが、これはディスク上の位置を示しており、実際再生動作をしている場合、再生信号が復調されてアドレスが確定するのは当該ＦＤｈセクタのデータを全て読み終えた後のタイミングで内部のアドレスデータを更新することになる。
【００３１】
つまり、図１２で示すように、ディスク上のアドレスデータ（ｉ）とＡＤＩＰ復調回路１００１内部のアドレスデータ（ｊ）は１セクタ分のずれが生じることになり、ディスクの再生位置がリンキングルールで規定しているリンク領域となるのはアドレスデータ（ｊ）が特定のアドレスのＦＣｈとなるセクタの場合である。
【００３２】
出力判断回路１００４は内部ＬＩＮＫ（ｈ’）とアドレスデータ（ｊ）を入力し、アドレスデータ（ｊ）が特定アドレスＦＣｈの場合は内部ＬＩＮＫ（ｈ’）をそのままタイミング信号ＬＩＮＫ（ｈ）として出力し、アドレスデータ（ｊ）が特定アドレスＦＣｈ以外の場合はタイミング信号ＬＩＮＫ（ｈ）を論理Ｌとして出力することにより、リンキングルールで規定されたリンク領域に対応したタイミング信号ＬＩＮＫ（ｈ）を生成することができる。
【００３３】
【発明が解決しようとする課題】
上記の従来技術によるタイミング信号生成装置では、ＥＦＭ信号からＰＬＬを用いてクロックを抽出し、その抽出クロックの周期とＥＦＭフレームの周期の比が固定であることを利用してリンク領域の位置を求めるものである。
【００３４】
ＰＬＬ１００２は位相ロックを外れにくくするために追従帯域が広く設計されており、ディスク表面上のほこりや指紋といった欠陥によるＥＦＭ信号の乱れに対しても追従するため位相ロックが外れることは無いが、その期間では抽出クロックの周期が乱れることになり、その周期の乱れがリンク信号タイミング生成回路１００３内部のカウンタに累積されてリンク領域の位置がずれる、あるいはリンク領域の規定時間（２０ＥＦＭフレーム）よりも長い領域または短い領域になってしまうといった問題点を有していた。
【００３５】
また、最近の光ディスク再生装置は省電力の取り組みとして、光ディスクを通常の速度よりも高速度で回転させることにより転送速度を上げ、再生したデータを大量にバッファへ格納し、バッファ内のデータ残量が十分にある場合は、光ディスクからの再生動作を停止してスピンドルモータやアクチュエータなどの機械的要素で消耗する電力を削減するといった技術が導入されている。
【００３６】
さらに、コストの削減という観点からは、光ディスクの回転制御にＣＡＶ（Ｃｏｎｓｔａｎｔ  Ａｎｇｕｌａｒ  Ｖｅｌｏｃｉｔｙ）制御を用いることにより、複雑なＣＬＶ（Ｃｏｎｓｔａｎｔ  Ｌｉｎｅａｒ  Ｖｅｌｏｃｉｔｙ）制御回路に比べて簡素化できるという取り組みもなされている。
【００３７】
上記のような取り組みに対しては、可変線速度対応の信号処理回路の開発が１つの解決策である。
【００３８】
しかし、通常のＰＬＬでは位相をロックするためには入力信号の周期が設計目標値の±１０％程度の範囲に入っている必要があり、従来の技術による構成ではＣＡＶ制御による線速度の変化に対応できないという問題点があった。
【００３９】
その対応策として、様々な線速度に対応できるように複数のＰＬＬを備えた構成も可能であるが、回路規模が格段に増加するためコストの上昇は避けることができず、しかも回路設計が複雑になるといった問題にも直面することになる。
【００４０】
【課題を解決するための手段】
タイミング信号生成装置についての本発明は、次のような手段を講じることにより、上記の課題を解決するものである。
【００４１】
本発明は、次の構成を前提とする。所定の記録単位で情報信号が記録され、かつ前記記録単位の接続部に所定のリンク領域を有するディスクから前記情報信号を再生する装置において、前記ディスク上の再生位置が前記リンク領域であることを示すタイミング信号を生成するタイミング信号生成装置であり、さらに、従来の技術と同様に、前記ディスクの再生信号から同期信号とアドレスの情報を復調する情報復調手段を備えている。
【００４２】
ここで、所定の記録単位とは、その代表例として複数のセクタのまとまりであるクラスタを挙げることができる。情報信号としては、その代表例として音声信号や映像信号や映像音声混成信号やデータ信号などを挙げることができる。接続部とは、ある記録単位（クラスタ）から次の所定の記録単位（クラスタ）へとつなげるための領域のことである。もっとも、これらはあくまで例示に過ぎなくて、本発明はそのようなものに限定される必要性はないものとする。
【００４３】
本発明のタイミング信号生成装置は、上記の前提に加えて、さらに、次のような要素を備えたことを特徴としている。すなわち、従来の技術の場合のＰＬＬに代わるものとして、前記再生信号の平均周期値を検出する平均周期検出手段を設ける。そして、タイミング信号出力手段においては、前記情報復調手段からの同期信号と前記平均周期検出手段からの平均周期値に基づいて、リンク領域の候補としての内部リンク領域を求め、前記情報復調手段からのアドレスが特定アドレスとなったときに、前記内部リンク領域をリンク領域と特定して前記タイミング信号を出力するように構成してある。
【００４４】
ここで、理解を容易にするために、参考として、後述する実施の形態での構成要素との対応関係を記述しておくと、情報復調手段は一例としてのＡＤＩＰ復調回路に対応し、平均周期検出手段は平均周期検出回路に対応し、タイミング信号出力手段はリンク信号出力回路に対応している。また、特定アドレスとは一例としてのＦＣｈに対応するものである。もっとも、これらはあくまで例示に過ぎなくて、本発明はそのようなものに限定される必要性はないものとする。
【００４５】
本発明の上記構成による作用は次のとおりである。記録単位の代表例としてのクラスタにおける個々のセクタで、情報復調手段は再生信号から同期信号とアドレスの情報とを復調する。平均周期検出手段はディスクからの再生信号につき平均周期値を検出する。例えば、ディスクにあらかじめ記録されているトラッキングサーボのためのアドレス信号を再生し、その立ち上がりエッジ間または立ち下がりエッジ間をクロックでカウントすることで平均周期値を求めることができる。高周波成分と低周波成分とが混成されているアドレス信号の場合には、低域通過フィルタを用いることで平均周期値を求めることができる。平均周期値は低周波成分相当であるので、仮にディスクにほこりや指紋などの欠陥が存在していても、その影響はほとんど波及しない。
【００４６】
ディスクに記録されている情報信号の記録周波数とアドレス信号の記録周波数との間には一定の相関関係（比例関係）がある。この相関関係は、ディスクの線速度が変化しても変わらない。すなわち、ディスクの線速度がどのような速度であっても再生したアドレス信号の平均周期値が求められていると、情報信号のフレーム長さは簡単に求めることができる。
【００４７】
タイミング信号出力手段は、情報復調手段からの同期信号と平均周期検出手段からの平均周期値とに基づいてリンク領域の候補としての内部リンク領域の位置を各セクタにおいて求める。例えば、ディスクからの再生信号が何フレーム目相当であるかを計数する。再生信号の１フレーム分の測定については、その測定の開始点を前記の同期信号によって決める。クロックのカウント値が平均周期値の所定の定数倍となったときに１フレーム分とする。各セクタにおいて、内部リンク領域が同期信号から何フレーム目から何フレーム目までであるかについては、ディスクの規格によりあらかじめ定められている。タイミング信号出力手段は、情報信号のフレーム数を計数して各セクタごとの内部リンク領域を求める。そのような複数の内部リンク領域がリンク領域の候補となる。クラスタを構成しているすべてのセクタにおいて、このようなリンク領域の候補としての内部リンク領域が求められる。少なくとも、正規のリンク領域が求められるまでは、内部リンク領域を求める。
【００４８】
さらに、タイミング信号出力手段は、情報復調手段からのアドレスの情報に基づいて、そのアドレスが特定アドレスであるか否かを判断し、リンク領域の候補である複数の内部リンク領域のうち特定アドレスに対応する内部リンク領域をリンク領域として特定し、そのリンク領域においてタイミング信号を生成し出力する。
【００４９】
以上のように、再生信号の平均周期値を利用することにより、ディスク表面上のほこりや指紋などの欠陥のために再生信号が劣化していても、正確にリンク領域を求めて高精度にタイミング信号を生成することができ、さらに、平均周期値は線速度に対して一定の相関をもっているので、大幅な回路の増加や変更を伴うことなしに再生時に線速度の変化にも対応することができる。
【００５０】
【発明の実施の形態】
以下、本発明の実施の形態を総括的に説明する。
【００５１】
本願第１の発明のタイミング信号生成装置は、所定の記録単位で情報信号が記録され、かつ前記記録単位の接続部に所定のリンク領域を有するディスクから前記情報信号を再生する装置において、前記ディスク上の再生位置が前記リンク領域であることを示すタイミング信号を生成するタイミング信号生成装置であって、前記ディスクの再生信号から同期信号とアドレスの情報を復調する情報復調手段と、前記再生信号の平均周期値を検出する平均周期検出手段と、前記同期信号と前記平均周期値に基づいてリンク領域の候補としての内部リンク領域を求め前記アドレスが特定アドレスとなったときに前記内部リンク領域をリンク領域と特定して前記タイミング信号を出力するタイミング信号出力手段とを備えていることを特徴とする。
【００５２】
この第１の発明の構成は、上記の〔課題を解決するための手段〕の項の構成を別の表現形態で記述したものに相当し、それによる作用については、同じく上記の〔課題を解決するための手段〕の項で説明したのと実質的に同様のものとなる。すなわち、再生信号の平均周期値を利用することにより、ディスク表面上のほこりや指紋などの欠陥のために再生信号が劣化していても、正確にリンク領域を求めて高精度にタイミング信号を生成することができ、さらに、平均周期値は線速度に対して一定の相関をもっているので、大幅な回路の増加や変更を伴うことなしに再生時に線速度の変化にも対応することができる。
【００５３】
好ましい形態としての本願第２の発明のタイミング信号生成装置は、上記の第１の発明において、前記情報復調手段は、内部信号を基にステータス信号を生成して出力し、前記タイミング信号出力手段は、前記ステータス信号に基づいて前記タイミング信号の出力を禁止することを特徴とする。
【００５４】
また、好ましい形態としての本願第３の発明のタイミング信号生成装置は、上記の第２の発明において、前記情報復調手段は、同期信号検出用の検出窓の状態を前記ステータス信号として出力することを特徴とする。
【００５５】
この第２、第３の発明による作用は次のとおりである。ディスク上でのほこりや指紋などの欠陥のために情報復調手段がアドレスの情報を安定に復調できてないときは、実際上は特定アドレスではないのに誤って特定アドレスであると誤判定してしまう可能性がある。そうなると、偽のタイミング信号が不測に出力されてしまい、再生信号を２値化するコンパレータや２値化した信号のクロックを抽出するＰＬＬにおいてホールド等の保護動作が誤って起こってしまう可能性がある。このように情報復調手段がアドレスの情報を安定に復調できてないときには情報復調手段からタイミング信号出力手段にステータス信号を出力して、タイミング信号出力手段によるタイミング信号の出力を禁止させる。これにより、偽のタイミング信号が不測に出力されてしまうことをなくし、コンパレータやＰＬＬのホールド等の保護動作が誤って起こってしまうという不都合な事態を避けることができる。
【００５６】
また、好ましい形態としての本願第４の発明のタイミング信号生成装置は、上記の第２・第３の発明において、前記情報復調手段は、誤り検出コードの演算結果を前記ステータス信号として出力することを特徴とする。
【００５７】
これは、同期信号検出用の検出窓の状態をステータス信号とする代わりに誤り検出コードの演算結果をステータス信号として利用するもので、上記と同様の作用を発揮する。すなわち、ほこりや指紋などの欠陥のために情報復調手段がアドレスの情報を安定に復調できてないときには、誤り検出コードの演算結果であるステータス信号を出力して偽のタイミング信号が不測に出力されてしまうことをなくし、コンパレータやＰＬＬのホールド等の保護動作が誤って起こってしまうという不都合な事態を避けることができる。
【００５８】
本願第５の発明のタイミング信号生成装置は、上記の第１〜第４の発明において、前記情報復調手段は、誤り検出コードの演算結果を出力し、前記タイミング信号出力手段は、内部アドレスレジスタを有しており、前記内部アドレスレジスタは前記誤り検出コードの演算結果に従い、前記情報復調手段が出力するアドレスを補正することを特徴とする。
【００５９】
この第５の発明による作用は次のとおりである。ディスク上でのほこりや指紋などの欠陥のために情報復調手段によるアドレスの情報の復調が連続して誤ったときにおいて、上記の保護動作禁止処理を行うのであれば、実際上は特定アドレスであるにもかかわらず、誤って特定アドレスではないと誤判定してしまう可能性がある。そうなると、正規のリンク領域に対して正規のタイミング信号が出力されなくなってしまい、そのリンク領域が未記録状態であれば、再生信号を２値化するコンパレータや２値化した信号のクロックを抽出するＰＬＬに異常な信号されてＰＬＬの位相ロックが外れてしまう可能性がある。このように情報復調手段が連続してアドレス復調を誤るときの対策として、情報復調手段から誤り検出コードの演算結果をタイミング信号出力手段に出力するように構成する。また、タイミング信号出力手段には、情報復調手段からのアドレスを前記誤り検出コードの演算結果に基づいて補正するための内部アドレスレジスタを設ける。この内部アドレスレジスタは、誤り検出コードの演算結果が正常のときは情報復調手段からのアドレスをそのまま利用する。異常のときは、１つ前のアドレスをインクリメントなどして更新し補正し、常に正しいアドレスを確保する。その結果として、アドレス復調が連続して誤った場合でも、常に正確にリンク領域を検出することができる。
【００６０】
（具体的な実施の形態）
以下、本発明にかかわるタイミング信号生成装置の具体的な実施の形態を図面に基づいて詳細に説明する。
【００６１】
（実施の形態１）
図１は本発明の実施の形態１におけるタイミング信号生成装置の構成を示したブロック図である。
【００６２】
図示するように、タイミング信号生成装置は、ＡＤＩＰ復調回路１０１、平均周期検出回路１０２、およびリンク信号出力タイミング生成回路１０３と出力判断回路１０４とからなるリンク信号出力回路１０５を備えている。つまり、本実施の形態１では従来のタイミング信号生成装置（図１０）のＰＬＬ１００２に代えて、平均周期検出回路１０２を用いるようにしている。
【００６３】
図２はＡＤＩＰ復調回路１０１、平均周期検出回路１０２およびリンク信号出力タイミング生成回路１０３の動作を説明する信号波形図であり、ＡＤＩＰ信号をＦＭ復調して２値化したバイフェーズデータＢＰＤＴ（ａ）、そしてバイフェーズデータＢＰＤＴ（ａ）から抽出したクロックＢＰＣＫ（ｂ）、またＡＤＩＰ信号の同期信号である同期信号ＡＤＳＹ（ｃ）、さらにＡＤＩＰ信号の平均周期データを３倍にした値である平均周期値データ（ｄ）、リンク信号出力タイミング生成回路１０３の内部のＥＦＭフレーム計測用カウンタ（ｅ）、ＬＩＮＫ用ＥＦＭフレーム検出信号（ｆ）、内部ＬＩＮＫ用カウンタ（ｇ）の信号波形およびデータである。
【００６４】
図３はリンク信号出力タイミング生成回路１０３の動作を説明する信号波形図であり、ＬＩＮＫ用ＥＦＭフレーム検出信号（ｆ）、内部ＬＩＮＫ用カウンタ（ｇ）、内部ＬＩＮＫ信号（ｈ’）の信号波形およびデータである。
【００６５】
ＡＤＩＰ復調回路１０１、出力判断回路１０４は従来技術における図１０で説明したタイミング信号生成装置と同様な動作を行なうものであり、ここでの説明は省略する。
【００６６】
したがって、ここでは平均周期検出回路１０２とリンク信号出力タイミング生成回路１０３についてその動作を説明する。
【００６７】
平均周期検出回路１０２はディスクから再生されるＡＤＩＰ信号の平均周期を演算する回路であり、入力されたＡＤＩＰ信号を２値化してその信号の立ち上がりエッジ間あるいは立ち下がりエッジ間をクロックによってカウントし、そのカウント値であるＡＤＩＰ信号の周期データを随時更新していく。
【００６８】
ＡＤＩＰ信号はＦＭ変調による周期偏差である高周波成分とＦＭキャリア周波数の変動である低周波成分を主な周波数成分として有しており、ＡＤＩＰ信号の周期データを低域通過フィルタに通すことにより、周期偏差による高周波成分よりも十分低い周波数成分だけを取り出して、ＦＭキャリア周波数の変動による低周波成分のみを有するデータを出力することになる。この出力データはＡＤＩＰ信号の平均周期を示しており、ＦＭキャリア周波数である約２２．０５ｋＨｚに相当するデータとなっている。
【００６９】
また、ディスク表面上にほこりや指紋などの欠陥が存在していても、その影響は主にＡＤＩＰ信号の比較的高周波成分に及ぶだけで、低域通過フィルタにより除去されることとなり、平均周期データにはほとんど影響が波及しないと考えられる。
【００７０】
次に、リンク信号出力タイミング生成回路１０３について説明する。
【００７１】
リンク信号出力タイミング生成回路１０３は同期信号ＡＤＳＹ（ｃ）と平均周期値データ（ｄ）を入力とし、各セクタの３９ＥＦＭフレーム目から５９ＥＦＭフレーム目の領域を示すリンク領域の候補としての内部リンク領域に対応する内部ＬＩＮＫ（ｈ’）を生成する。
【００７２】
通常、ＥＦＭフレームの同期信号は７．３５ｋＨｚ相当の周期を持っており、またＡＤＩＰ信号の平均周期は２２．０５ｋＨｚ相当である。７．３５ｋＨｚ：２２．０５ｋＨｚ＝１：３の比は一定であり、ディスクの線速度が変化したとしても常に一定に保たれる。
【００７３】
つまり、ディスクを再生している線速度がどのような速度であってもＡＤＩＰ信号の平均周期が求まっていれば、１ＥＦＭフレームの長さは簡単に求めることができ、したがって、リンク領域の候補である内部リンク領域も簡単に求めることができる。
【００７４】
図２を用いて、ＡＤＩＰ信号の平均周期から１ＥＦＭフレームの長さを求める動作を説明する。
【００７５】
リンク信号出力タイミング生成回路１０３にはフレーム用カウンタ（ｅ）が備えてあり、同期信号ＡＤＳＹ（ｃ）の立ち上がりエッジを検出するとカウンタ（ｅ）をゼロにリセットする。
【００７６】
また、カウンタ（ｅ）はＡＤＩＰ信号の周期データを計測したものと同じ周波数のクロックによりインクリメントし、ＡＤＩＰ信号の平均周期データを３倍した平均周期値データ（ｄ）に一致するとカウンタをゼロにリセットする。
【００７７】
カウンタ（ｅ）がＡＤＩＰ信号の平均周期データを３倍した平均周期値データ（ｄ）に一致した瞬間にＬＩＮＫ用フレーム検出信号（ｆ）を論理Ｈに設定し、一定時間後に再び論理Ｌに設定することで、ＬＩＮＫ用フレーム検出信号（ｆ）は１ＥＦＭフレーム毎に論理Ｌから論理Ｈへ極性を変化させることになる。
【００７８】
さらに、リンク信号出力タイミング生成回路１０３は内部ＬＩＮＫ用カウンタ（ｇ）を備えており、同期信号ＡＤＳＹ（ｃ）の立ち上がりエッジを検出するとカウンタ（ｇ）を初期値“１”にリセットし、ＬＩＮＫ用フレーム検出信号（ｆ）の立ち上がりエッジを検出した場合にカウンタ（ｇ）をインクリメントする。
【００７９】
このカウント値は、現在のディスクの再生位置がＡＤＩＰ信号の同期パターンから何番目のＥＦＭフレームであるかを示すものであり、図３に示すように、内部ＬＩＮＫ用カウンタ（ｇ）が４０ｄ（“ｄ”は１０進数（ｄｅｃｉｍａｌ  ｎｕｍｂｅｒ）であることを示す）から５９ｄである期間に内部ＬＩＮＫ（ｈ’）を論理Ｈに設定すれば、リンク領域の候補としての内部リンク領域の位置を求めることができる。
【００８０】
そのようにしてリンク信号出力タイミング生成回路１０３において内部リンク領域に対応する内部ＬＩＮＫ（ｈ’）を求めたあとは、従来の技術の場合と同様にして、リンク信号出力回路１０５における出力判断回路１０４が、リンク信号出力タイミング生成回路１０３からの内部ＬＩＮＫ（ｈ’）とＡＤＩＰ復調回路１０１からのアドレスとに基づいて、図１２と同様にして、順次、各セクタごとに出力されてくる複数の内部ＬＩＮＫ（ｈ’）のうち特定アドレスＦＣｈに対応したタイミングでタイミング信号ＬＩＮＫ（ｈ）を出力する。すなわち、リンキングルールに規定されているようなリンク領域の位置を求めることができる。
【００８１】
以上のように、この実施の形態１のタイミング信号生成装置によれば、平均周期検出回路１０２とリンク信号出力タイミング生成回路１０３を備えることにより、ディスク表面上のほこりや指紋などの欠陥に対してもほとんど影響の無いタイミング信号を生成することができ、しかも線速度に対して一定の相関関係のあるＡＤＩＰ信号の平均周期を用いてタイミング信号を生成しているので、この回路構成を変更することなく線速度の変化に対応したタイミング信号を生成することができる。
【００８２】
（実施の形態２）
本発明の実施の形態２におけるタイミング信号生成装置について図４、図５、図６を用いて説明する。
【００８３】
図４は本発明の実施の形態２におけるタイミング信号生成装置の構成を示したブロック図である。
【００８４】
図示するように、タイミング信号生成装置は、ＡＤＩＰ復調回路４０１、平均周期検出回路４０２、およびリンク信号出力タイミング生成回路４０３と出力判断回路４０４とからなるリンク信号出力回路４０５を備えている。本実施の形態２においては、ＡＤＩＰ復調回路４０１から内部の状態を示すステータス信号を出力し、出力判断回路４０４へ入力するように構成している。
【００８５】
図５はステータス信号である検出窓ステータスを説明する信号波形図であり、ＡＤＩＰ信号より同期パターンが検出されたことを示す同期信号（ｋ）（以降、検出同期信号と呼ぶ。）、ＡＤＩＰ信号より同期パターンが検出されなかった場合に内挿する同期信号（ｍ）（以降、内挿同期信号と呼ぶ。）、ＡＤＩＰ復調回路４０１から出力されるＡＤＩＰ信号の同期信号ＡＤＳＹ（ｃ）、および検出窓の状態を示す検出窓ステータス（ｎ）の信号波形である。
【００８６】
図６は本発明の実施の形態２におけるタイミング信号生成装置の動作を説明する信号波形図であり、ディスク上のアドレス（ｉ）、ＡＤＩＰ信号の同期信号ＡＤＳＹ（ｃ）、復調されたアドレスデータ（ｊ）、検出窓ステータス（ｎ）、およびタイミング信号ＬＩＮＫ（ｈ）の信号波形およびデータである。
【００８７】
平均周期検出回路４０２、リンク信号出力タイミング生成回路４０３については、本発明の実施の形態１による図１のタイミング信号生成装置と同様な動作を行なうものであり、ここでの説明は省略する。
【００８８】
したがって、ここではＡＤＩＰ復調回路４０１、出力判断回路４０４について説明する。
【００８９】
ＡＤＩＰ復調回路４０１ではＡＤＩＰ信号の同期パターンの検出を行なって同期信号ＡＤＳＹ（ｃ）を出力しているが、同期検出ができなかった場合の対策として保護処理の回路を備えている。
【００９０】
ＡＤＩＰセクタは８４個のクロックＢＰＣＫに相当するデータで構成されており、同期パターンはＡＤＩＰセクタの先頭に存在し、８個のクロックＢＰＣＫに相当するデータ長で記録されている（図１１参照）。つまり、正常なＡＤＩＰ信号を復調する場合には必ず８４ＢＰＣＫ周期で同期パターンが検出される。
【００９１】
この規則に従えば、ディスク表面上のほこりや指紋などの欠陥によりＡＤＩＰ信号の同期検出ができなかった場合でも、クロックＢＰＣＫが正常に生成できていれば、本来存在すべき同期信号の位置へ同期信号を挿入することができる。この信号が内挿同期信号（ｍ）である。
【００９２】
したがってＡＤＩＰ復調回路４０１の内部には２種類の同期信号が存在することになる。この２種類の同期信号から１つを選んで同期信号ＡＤＳＹ（ｃ）を出力しなければならないが、その方法として用いられるのが検出窓を利用することである。
【００９３】
検出窓とは検出同期信号（ｋ）の内挿同期信号（ｍ）に対する時間軸変動の許容範囲を示すもので、検出窓が設定されている場合、検出同期信号（ｋ）が検出窓の内側で検出されれば、内挿同期信号（ｍ）と一致したと判断し、内挿同期信号（ｍ）は用いることなく、検出同期信号（ｋ）を同期信号ＡＤＳＹ（ｃ）としてそのまま出力するが、検出同期信号（ｋ）が検出窓の外側で検出されれば、内挿同期信号（ｍ）と不一致であると判断して、検出した検出同期信号（ｋ）を無視する。また、検出窓が設定されていない場合は、全ての検出同期信号（ｋ）を同期信号ＡＤＳＹ（ｃ）に出力する。
【００９４】
内挿同期信号（ｍ）は同期信号ＡＤＳＹ（ｃ）が出力されてから８４ＢＰＣＫ後に出力され、８４個のクロックＢＰＣＫをカウントする以前に同期信号ＡＤＳＹ（ｃ）がさらに出力された場合は、その時点でカウンタをリセットしてクロックＢＰＣＫをカウントする。内挿同期信号（ｍ）は無条件で同期信号ＡＤＳＹ（ｃ）に出力される。
【００９５】
以上の条件により、検出同期信号（ｋ）あるいは内挿同期信号（ｍ）から同期信号ＡＤＳＹ（ｃ）を生成する。
【００９６】
次に、図５を用いて検出窓を設定するか設定しないかをどうのように決めるかについて説明する。
【００９７】
検出窓を設定する場合は、検出同期信号（ｋ）が安定して出力されているときに、ＡＤＩＰ信号の欠陥により本来の位置以外に発生する偽の同期信号を除外することを目的としている。例えば、検出同期信号（ｋ）と内挿同期信号（ｍ）が連続して２回一致した場合に設定する。すなわち、図５の検出同期信号（ｋ）において、左から３つ目と４つ目の波形が内挿同期信号（ｍ）と一致しているので、４つ目のタイミングでステータス信号である検出窓ステータス（ｎ）を立ち上げている。
【００９８】
一方、検出窓を設定しない場合は、検出同期信号（ｋ）と内挿同期信号（ｍ）が全く一致しなくなったときに、それぞれの位相を合わせることを目的としている。例えば、検出同期信号（ｋ）と内挿同期信号（ｍ）が一致しなかった場合に設定を解除する。すなわち、図５の内挿同期信号（ｍ）の左から５つ目の波形のときに検出同期信号（ｋ）がないため、そのタイミングで検出窓ステータス（ｎ）を立ち下げている。なお、図５の検出同期信号（ｋ）の左から２つ目の波形のときには、この段階では検出窓ステータス（ｎ）は論理Ｈとなっているが、同期信号ＡＤＳＹ（ｃ）としてはこの検出同期信号（ｋ）を無視している。
【００９９】
このような状態遷移によりＡＤＩＰ復調回路４０１は、検出同期信号（ｋ）と内挿同期信号（ｍ）がなるべく一致するように検出窓を制御し、安定にデータ復調が行なえるように動作する。
【０１００】
つまり、逆を言えば、検出窓が設定されているとき、ＡＤＩＰ復調回路４０１は安定にアドレスデータ（ｊ）を復調しているということになり、検出窓が設定されていないときは、安定にアドレスデータ（ｊ）を復調している可能性は低いということになる。
【０１０１】
内挿についての詳しい内容は本発明では直接には関係しないので、これ以上の説明は省略するが、いずれにしても、ＡＤＩＰ復調回路４０１においてアドレスの復調が正常で安定していると判定できたときにはステータス信号を論理Ｈに設定し、アドレスの復調が不安定であると判定したときにはステータス信号を論理Ｌに設定する。図５はそのことを示している。
【０１０２】
次に、出力判断回路４０４について説明する。
【０１０３】
出力判断回路４０４は実施の形態１で説明したタイミング信号生成装置の動作に加え、ＡＤＩＰ復調回路４０１から入力されるステータス信号である検出窓ステータス（ｎ）が論理Ｈ（検出窓が設定されている）の場合はタイミング信号ＬＩＮＫ（ｈ）を出力するが、検出窓ステータス（ｎ）が論理Ｌ（検出窓の設定が解除されている）の場合はタイミング信号ＬＩＮＫ（ｈ）を論理Ｌに固定して出力するものである。
【０１０４】
ところで、前記実施の形態１におけるタイミング信号生成装置の場合、検出窓の設定が解除されている状態、つまり安定にデータを復調している可能性が低い場合においても同期信号ＡＤＳＹ（ｃ）、アドレスデータ（ｊ）、ＡＤＩＰ信号の平均周期データを用いてリンク領域を求めてタイミング信号ＬＩＮＫ（ｈ）を出力する。そのような不都合を図６で説明する。
【０１０５】
図６に示すように、実施の形態１の場合には、特定アドレスＦＣｈでないセクタにおいて、アドレス復調の結果、特定アドレスＦＣｈと誤って復調した場合でも、そのセクタにおいて、破線で示す偽のタイミング信号ＬＩＮＫ（ｈ）を出力してしまうこととなり、その結果、ディスクからの再生信号を２値化するコンパレータがホールドされ、正常な復調動作が一時的にできなくなってしまう。
【０１０６】
しかし、本発明の実施の形態２におけるタイミング信号生成装置の場合、安定なデータ復調ができていないことを検出窓ステータス（ｎ）によって判断し、検出窓ステータス（ｎ）が論理Ｌとなって安定なデータ復調が行なわれていない可能性があれば、タイミング信号ＬＩＮＫ（ｈ）を強制的に論理Ｌに固定して出力し、上記のような不具合を避けることができる。
【０１０７】
以上のように、本実施の形態２のタイミング信号生成装置によれば、ＡＤＩＰ復調回路から検出窓ステータスを出力し、出力判断回路へ入力することにより、ディスク表面上のほこりや指紋などの欠陥に影響されず、かつ線速度の変化に対応したタイミング信号が生成できるだけでなく、ＡＤＩＰ復調回路が不安定なデータ復調時において偽のタイミング信号ＬＩＮＫが出力されてしまうことを回避することができる。
【０１０８】
なお、本発明の実施の形態２によるタイミング信号生成装置において、ＡＤＩＰ復調回路から出力するステータス信号を検出窓ステータスとしたが、それに代えて、例えば図７に示すように、ＣＲＣの演算結果をステータスとして出力し、ＣＲＣによるアドレスデータのチェックに誤りがないと判断した場合はＣＲＣ演算結果を論理Ｈとし、誤りと判断した場合はＣＲＣ演算結果を論理Ｌとして出力判断回路に出力しても、同様な動作が得られる。
【０１０９】
（実施の形態３）
本発明の実施の形態３におけるタイミング信号生成装置について図８、図９を用いて説明する。
【０１１０】
図８は本発明の実施の形態３におけるタイミング信号生成装置の構成を示したブロック図である。
【０１１１】
図示するように、タイミング信号生成装置は、ＡＤＩＰ復調回路８０１、平均周期検出回路８０２、およびリンク信号出力タイミング生成回路８０３と出力判断回路８０４とアドレス補間回路８０５とからなるリンク信号出力回路８０６を備えている。本実施の形態３においては、アドレス補間回路８０５をリンク信号出力回路８０６に備えた構成となしてある。アドレス補間回路８０５には、ＡＤＩＰ復調回路８０１からのアドレスを補正するための内部アドレスレジスタが設けられている。
【０１１２】
図９は本発明の実施の形態３におけるタイミング信号生成装置の動作を説明する信号波形図であり、ディスク上のアドレス（ｉ）、ＡＤＩＰ信号の同期信号ＡＤＳＹ（ｃ）、復調されたアドレスデータ（ｊ）、ＣＲＣ演算結果（ｐ）、補間アドレスデータ（ｑ）、およびタイミング信号ＬＩＮＫ（ｈ）の信号波形およびデータである。
【０１１３】
ＡＤＩＰ復調回路８０１、平均周期検出回路８０２、リンク信号出力タイミング生成回路８０３および出力判断回路８０４については、本発明の実施の形態１による図１のタイミング信号生成装置と同様な動作を行なうものであり、ここでの説明は省略する。
【０１１４】
よって、ここではアドレス補間回路８０５について説明する。
【０１１５】
アドレス補間回路８０５は内部にアドレスデータ用の８ｂｉｔの内部アドレスレジスタ（ｑ）を有しており、入力される同期信号ＡＤＳＹ（ｃ）の立ち上がりエッジのタイミングでＣＲＣ演算結果（ｐ）が論理Ｈの場合、入力されたアドレスデータ（ｊ）を内部アドレスレジスタ（ｑ）に代入し、ＣＲＣ演算結果（ｐ）が論理Ｌの場合、内部アドレスレジスタ（ｑ）に格納されているデータをインクリメントする。この内部アドレスレジスタ（ｑ）の内容を補間アドレスデータと呼ぶことにする。
【０１１６】
ただし、アドレスデータはセクタ情報であるので、補間アドレスデータ（ｑ）がインクリメントする場合、００ｈから１Ｆｈまでは連続して１ずつインクリメントするが、１Ｆｈの次はＦＣｈ、ＦＤｈ、ＦＥｈ、ＦＦｈとインクリメントして、次のインクリメントで補間アドレスデータ（ｑ）は００ｈに戻る。
【０１１７】
そして、アドレス補間回路８０５は補間アドレスデータ（ｑ）のデータを出力判断回路８０４に出力する。
【０１１８】
次に、図９を用いて詳細な動作を説明する。
【０１１９】
当初、ＡＤＩＰ復調回路８０１はＡＤＩＰ信号から正常にアドレスデータ（ｊ）を１Ｄｈ、１Ｅｈと順に復調し、その結果、ＣＲＣ演算結果（ｐ）も論理Ｈを出力する。
【０１２０】
したがって、アドレス補間回路８０５の補間アドレスデータ（ｑ）はアドレスデータ（ｊ）と一致する。
【０１２１】
続いて、ディスク表面上のほこりや指紋などの欠陥等によりＡＤＩＰ信号が乱れ、本来復調されるべきアドレスデータ（ｊ）は１Ｆｈであるが００ｈと誤って復調してしまい、ＣＲＣ演算結果（ｐ）も論理Ｌとなり、アドレスデータ（ｊ）が誤りであることを示す。
【０１２２】
しかし、ＣＲＣ演算結果（ｐ）が論理Ｌであることから、アドレス補間回路８０５は補間アドレスデータ（ｑ）へアドレスデータ（ｊ）である００ｈを代入するのではなく、直前の補間アドレスデータ（ｑ）である１Ｅｈをインクリメントした値である１Ｆｈを代入する。
【０１２３】
続いて復調したアドレスデータ（ｊ）も本来のセクタデータＦＣｈ（特定アドレス）とは異なる１Ａｈと誤って復調してしまい、ＣＲＣ演算結果（ｐ）も論理Ｌとなるが、アドレス補間回路８０５は補間アドレスデータ（ｑ）に直前に保有していた１Ｆｈをインクリメントした値であるＦＣｈ（特定アドレス）を代入する。
【０１２４】
ところで、前記実施の形態２におけるタイミング信号生成装置の場合、出力判断回路はＡＤＩＰ復調回路の内部ステータスによりアドレス復調が正常に行なわれているかを判断し、もし正常に復調されていないと判断されればそのセクタのアドレスの値に関わらず強制的にタイミング信号ＬＩＮＫを論理Ｌにして、偽のタイミング信号ＬＩＮＫを出力しないように保護処理をしていた。
【０１２５】
しかし、ディスクの再生位置が正規のリンク領域であっても、ＡＤＩＰ復調回路の内部ステータスによりタイミング信号ＬＩＮＫを強制的に論理Ｌにしてしまうことがあり、そのリンク領域が未記録状態であればディスクから再生した信号を２値化するコンパレータや、２値化した信号のクロックを抽出するＰＬＬに異常な信号が入力されてＰＬＬの位相ロックが外れてしまうといった問題点があった。
【０１２６】
しかし、本発明の実施の形態３におけるタイミング信号生成装置の場合、ＣＲＣ演算結果を利用してＡＤＩＰ復調回路が復調したアドレスデータとともにアドレスデータを推測し、補間アドレスデータを生成することにより、アドレス復調が不安定な場合でも本来のリンク領域にタイミング信号ＬＩＮＫを論理Ｈとして出力することができ、上記のような不具合を避けることができる。
【０１２７】
以上のように、アドレス補間回路をリンク信号出力回路に備えることにより、ディスク表面上のほこりや指紋などの欠陥に影響されず、かつ線速度の変化に対応したタイミング信号が生成できるだけでなく、ＡＤＩＰ復調回路が不安定なデータ復調時においても信頼性のあるタイミング信号を出力することができる。
【０１２８】
【発明の効果】
タイミング信号生成装置についての本発明によれば、情報復調手段からの同期信号と平均周期検出手段からの平均周期値に基づいて、リンク領域の候補としての内部リンク領域を求め、情報復調手段からのアドレスが特定アドレスとなったときに、内部リンク領域をリンク領域と特定してタイミング信号を出力するように構成してあるので、ディスク表面上のほこりや指紋などの欠陥のために再生信号が劣化していても、正確にリンク領域を求めて高精度にタイミング信号を生成することができ、さらに、平均周期値は線速度に対して一定の相関をもっているので、大幅な回路の増加や変更を伴うことなしに再生時に線速度の変化にも対応することができる。
【０１２９】
また、情報復調手段の内部状態を把握するステータス信号や誤り検出コードの演算結果を用いてアドレス復調の信頼性を判断し、正常に復調していない状態と判断した場合はリンク領域を示すタイミング信号の出力を禁止することにより、偽のタイミング信号が不測に出力されてしまうことをなくし、再生信号を２値化するコンパレータや２値化した信号のクロックを抽出するＰＬＬのホールド等の保護動作が誤って起こってしまうという不都合な事態を避けることができる。
【０１３０】
さらに、タイミング信号出力手段の内部アドレスレジスタにおいて、情報復調手段からの誤り検出コードの演算結果に従ってアドレスを補正して、常に正しいアドレスを確保することにより、アドレス復調が連続して誤った場合でも、常に正確にリンク領域を検出することができる。
【図面の簡単な説明】
【図１】  本発明の実施の形態１におけるタイミング信号生成装置の構成を示すブロック図
【図２】  本発明の実施の形態１におけるＡＤＩＰ復調回路とリンク信号出力タイミング生成回路の動作を説明する信号波形図
【図３】  本発明の実施の形態１におけるリンク信号出力タイミング生成回路の動作を説明する信号波形図
【図４】  本発明の実施の形態２におけるタイミング信号生成装置の構成を示すブロック図
【図５】  本発明の実施の形態２におけるステータス信号である検出窓ステータスを説明する信号波形図
【図６】  本発明の実施の形態２におけるタイミング信号生成装置の動作を説明する信号波形図
【図７】  本発明の実施の形態２におけるＣＲＣ演算結果をステータスとして用いた場合の動作を説明する信号波形図
【図８】  本発明の実施の形態３におけるタイミング信号生成装置の構成を示すブロック図
【図９】  本発明の実施の形態３におけるタイミング信号生成装置の動作を説明する信号波形図
【図１０】  従来のタイミング信号生成装置の構成を示すブロック図
【図１１】  従来のタイミング信号生成装置におけるＡＤＩＰ復調回路とリンク信号出力タイミング生成回路の動作を説明する信号波形図
【図１２】  従来のタイミング信号生成装置における出力判断回路を説明する信号波形図
【符号の説明】
１０１，４０１，８０１，１００１  ＡＤＩＰ復調回路
１０２，４０２，８０２            平均周期検出回路
１０３，４０３，８０３，１００３  リンク信号出力タイミング生成回路
１０４，４０４，８０４，１００４  出力判断回路
１０５，４０５，８０６，１００５  リンク信号出力回路
８０５                            アドレス補間回路
１００２                          ＰＬＬ
【図１】
0003795314.tif 000002
【図２】
0003795314.tif 000003
【図３】
0003795314.tif 000004
【図４】
0003795314.tif 000005
【図５】
0003795314.tif 000006
【図６】
0003795314.tif 000007
【図７】
0003795314.tif 000008
【図８】
0003795314.tif 000009
【図９】
0003795314.tif 000010
【図１０】
0003795314.tif 000011
【図１１】
0003795314.tif 000012
【図１２】
0003795314.tif 000013